(57)【特許請求の範囲】
【請求項１】
ユーザ装置（ＵＥ）はシステム設定の固定時間領域及び／又は周波数領域位置以外のほかの位置からサービスセル及び／又は隣接セルのシステム情報及び／又はシステム情報更新指示を受信することを含み、
前記ＵＥはシステム設定の固定時間領域及び／又は周波数領域位置以外のほかの位置からサービスセル及び／又は隣接セルのシステム情報及び／又はシステム情報更新指示を受信することは、
前記固定時間領域及び／又は周波数領域位置はシステム設定のシステム情報及び／又はシステム情報更新指示を送信する固定の時間領域位置及び／又は周波数領域位置であることと、
前記ＵＥは前記サービスセルから前記サービスセル及び／又は隣接セルがシステム情報及び／又はシステム情報更新指示を送信する方式の情報を受信し、前記サービスセル及び／又は隣接セルがシステム情報及び／又はシステム情報更新指示を送信する方式の情報に基づいて、前記サービスセル及び／又は隣接セルのシステム情報及び／又はシステム情報更新指示を受信することと、を含み、
前記ＵＥは前記サービスセルから前記サービスセルがシステム情報及び／又はシステム情報更新指示を送信する方式の情報を受信することは、
サービス基地局は前記ＵＥが強化されたシステム情報受信メカニズムを実行する必要があると判断した時、前記サービス基地局は、システム設定の固定位置以外のほかの位置で前記システム情報及び／又はシステム情報更新指示を受信するように前記ＵＥに指示し、又は前記ＵＥは自体が強化されたシステム情報受信メカニズムを実行する必要があると判断した時、前記ＵＥは、前記サービス基地局に、前記ＵＥがシステム設定の固定位置以外のほかの位置で前記システム情報及び／又はシステム情報更新指示を受信することを指示すること、
及び／又は、
前記サービス基地局は前記ＵＥが強化されたシステム情報受信メカニズムを実行する必要がないと判断した時、前記サービス基地局は、前記ＵＥがシステム設定の固定位置で前記システム情報及び／又はシステム情報更新指示を受信するように指示し、又は前記ＵＥは前記ＵＥが強化されたシステム情報受信メカニズムを実行する必要がないと判断した時、前記ＵＥは、前記サービス基地局に、前記ＵＥがシステム設定の固定位置で前記システム情報及び／又はシステム情報更新指示を受信することを指示することを含み、
前記サービス基地局はチャネル状態に対する前記ＵＥの測定の結果に基づいて前記ＵＥが強化されたシステム情報受信メカニズムを実行する必要があるかどうかを判断することは、
前記サービス基地局はチャネル状態に対する前記ＵＥの測定の結果を受信し、前記測定結果は、前記サービス基地局の無線リソース管理（ＲＲＭ）及び／又は無線リンク管理（ＲＬＭ）及び／又はチャネル品質情報（ＣＱＩ）及び／又は信号対雑音比（ＳＮＲ）及び／又は信号対干渉雑音比（ＳＩＮＲ）の測定結果を含み、前記測定結果はシステム設定の第１閾値より低い時、前記サービス基地局は前記ＵＥが強化されたシステム情報受信メカニズムを実行する必要があると判断し、前記測定結果がシステム設定の第２閾値より高い時、前記サービス基地局は前記ＵＥが強化されたシステム情報受信メカニズムを実行する必要がないと判断し、又は、前記ＵＥのデータ送受信成功率がシステム設定の第３閾値より低い時、前記サービス基地局は前記ＵＥが強化されたシステム情報受信メカニズムを実行する必要があると判断し、前記ＵＥのデータ送受信成功率がシステム設定の第４閾値より高い時、前記サービス基地局は前記ＵＥが強化されたシステム情報受信メカニズムを実行する必要がないと判断することを含み、
前記ＵＥは前記ＵＥが強化されたシステム情報受信メカニズムを実行する必要があると判断することは、
前記ＵＥはチャネル状態を測定し、測定結果がデフォルト第五閾値より低い時、強化されたシステム信号受信メカニズムを実行する必要があると判断し、測定結果がデフォルト第六閾値より高い時、強化されたシステム信号受信メカニズムを実行する必要がないと判断し、又は、
前記ＵＥは前記サービスセルが固定位置で伝送するシステム情報を成功に復号する確率が第１確率閾値より低い時、強化されたシステム信号受信メカニズムを実行する必要があると判断し、前記ＵＥは前記サービスセルの固定位置で伝送するシステム情報を成功に復号する確率が第２確率閾値より高い時、強化されたシステム信号受信メカニズムを実行する必要がないと判断することを含むシステム情報の受信方法。
【請求項２】
前記ＵＥはブロードキャストＲＲＣシグナリングに基づいて前記固定時間領域及び／又は周波数領域位置からシステム情報及び／又はシステム情報更新指示を受信し、前記ＵＥはブロードキャスト及び／又はユニキャストＲＲＣシグナリングに基づいて前記固定時間領域及び／又は周波数領域位置以外の位置からシステム情報及び／又はシステム情報更新指示を受信する請求項１に記載の方法。
【請求項３】
サービス基地局と隣接基地局の間に基地局設定の、セルサービス範囲を拡充する設定パラメーターを伝送することを更に含み、被干渉セルに応用されるセル領域拡張メカニズムの程度の大きさを反映するパラメーター及び／又は隣接セルに依頼してＵＥハンドオーバを制御させるセル関連オフセットパラメーター及び／又は基地局のバージョン情報及び／又は相手端セルに依頼して、ＵＥが本セルシステム情報及び／又はシステム情報更新指示を受信することに必要な情報を伝送させる指示を含む請求項１に記載の方法。
【請求項４】
基地局の間は基地局の間及び／又は第３基地局の物理ブロードキャストチャネルに伝送している、下りリンク帯域幅及び／又は物理フィードバックチャネル（ＰＨＩＣＨ）設定及び／又は物理フレーム番号を含む情報及び前記情報の伝送設定情報をインタラクションすることを更に含む請求項１に記載の方法。
【請求項５】
システム設定の固定時間領域及び／又は周波数領域位置以外のほかの位置からサービスセル及び／又は隣接セルのシステム情報及び／又はシステム情報更新指示を受信するように設置される受信モジュール、
ユーザ端末が強化されたシステム情報受信メカニズムを実行する必要があるかどうかを判断するように設置される判断ユニット、及び／又は、
サービス基地局の、前記ユーザ端末が強化されたシステム情報受信メカニズムを実行する必要があるかどうかに対しての指示情報を受信するように設置される指示受信ユニット、を含み、
前記固定の時間領域位置及び／又は周波数領域位置は、システム設定がシステム情報及び／又はシステム情報更新指示を送信する固定の時間領域位置及び／又は周波数領域位置であり、
前記受信モジュールは、
前記サービスセルから前記サービスセル及び／又は隣接セルがシステム情報及び／又はシステム情報更新指示を送信する方式の情報を受信するように設置される第１受信ユニット、
前記サービスセル及び／又は隣接セルがシステム情報を送信する方式の情報に基づいて前記サービスセル及び／又は隣接セルのシステム情報及び／又はシステム情報更新指示を受信するように設置される第２受信ユニットを含み、
前記第１受信ユニットは更に、
前記ユーザ端末が強化されたシステム情報受信メカニズムを実行する必要があると判断した時又は強化されたシステム情報受信メカニズムを実行する必要があるという指示情報を受信した時、システム設定の固定の時間領域位置及び／又は周波数領域位置の以外のほかの位置で前記システム情報を受信し、及び／又は、前記ユーザ端末が強化されたシステム情報受信メカニズムを実行する必要がないと判断した時又は強化されたシステム情報受信メカニズムを実行する必要がないという指示情報を受信した時、システム設定の固定の時間領域位置及び／又は周波数領域位置で前記システム情報を受信するように設置され、
前記判断ユニットは更に、
チャネル状態を測定し、測定結果がデフォルト第五閾値より低い時、強化されたシステム信号受信メカニズムを実行する必要があると判断し、測定結果がデフォルト第六閾値より高い時、強化されたシステム信号受信メカニズムを実行する必要がないと判断し、又は
前記ユーザ端末は前記サービスセルが固定の時間領域位置及び／又は周波数領域位置で伝送するシステム情報を成功に復号する確率は第１確率閾値より低い時、強化されたシステム信号受信メカニズムを実行する必要があると判断し、前記ユーザ端末は前記サービスセルが固定の時間領域位置及び／又は周波数領域位置で伝送するシステム情報を成功に復号する確率は第２確率閾値より高い時、強化されたシステム信号受信メカニズムを実行する必要がないと判断するように設置されるユーザ装置。
【請求項６】
前記受信モジュールは、ブロードキャストＲＲＣシグナリングに基づいて前記固定時間領域及び／又は周波数領域位置からシステム情報及び／又はシステム情報更新指示を受信し、ブロードキャスト及び／又はユニキャストＲＲＣシグナリングに基づいて前記固定時間領域及び／又は周波数領域位置以外の位置からシステム情報及び／又はシステム情報更新指示を受信するように設置される請求項５に記載のユーザ装置。
【請求項７】
システム設定の固定時間領域及び／又は周波数領域位置以外のほかの位置からユーザ装置（ＵＥ）へ前記サービスセル及び／又は隣接セルのシステム情報及び／又はシステム情報更新指示を送信するように設置される送信モジュール、
前記ＵＥが強化されたシステム情報受信メカニズムを実行する必要があるかどうかを判断するように設置される判断ユニット、及び／又は、
前記ＵＥの、前記ＵＥが強化されたシステム情報受信メカニズムを実行する必要があるかどうかに対する指示情報を受信するように設置される指示受信ユニット、を含み、
前記判断ユニットは更に、
前記ＵＥのチャネル状態への測定の結果を受信し、該測定結果は、前記サービス基地局の無線リソース管理（ＲＲＭ）及び／又は無線リンク管理（ＲＬＭ）及び／又はチャネル品質情報（ＣＱＩ）及び／又は信号対雑音比（ＳＮＲ）及び／又は信号対干渉雑音比（ＳＩＮＲ）に対しての測定結果を含み、前記測定結果がシステム設定の第１閾値より低い時、前記ＵＥが強化されたシステム情報受信メカニズムを実行する必要があると判断し、前記測定結果がシステム設定の第２閾値より高い時、前記ＵＥが強化されたシステム情報受信メカニズムを実行する必要がないと判断し、又は、前記ＵＥのデータ送受信成功率がシステム設定の第３閾値より低い時、前記ＵＥが強化されたシステム情報受信メカニズムを実行する必要があると判断し、前記ユーザ端末のデータ送受信成功率がシステム設定の第４閾値より高い時、前記ＵＥが強化されたシステム情報受信メカニズムを実行する必要がないと判断するように設置される基地局。
【請求項８】
前記ＵＥが報告したサービスセルと隣接セルのシステムフレーム番号及び／又はサービスセルと隣接セルのシステムフレーム番号の間の関係を受信してサービス基地局に報告し、前記関係は差の値及び／又は倍数関係を含むように設置される受信モジュールを更に含む請求項７に記載の基地局。
【発明の詳細な説明】
【技術分野】
【０００１】
本発明は無線通信技術領域に関し、特にシステム情報の受信方法及び装置に関する。
【背景技術】
【０００２】
無線セルラー通信システム中において、基地局はユーザ装置（ＵＥ、Ｕｓｅｒ  Ｅｑｕｉｐｍｅｎｔ）に無線アクセスを提供する設備であり、一つの基地局は一つ又は複数のサービスセルを含んでもよい。セルは一定の地理範囲のＵＥに通信サービスを提供することができ、異なるセルは異なるカバー領域を有してもよく、通常、セルのカバー領域及び展開の目的に基づいてセルをマクロセル（ｍａｃｒｏ  ｃｅｌｌ）、ピコセル（ｐｉｃｏ  ｃｅｌｌ）、フェムトセル（ｆｅｍｔｏ  ｃｅｌｌ）等に分けることができ、対応して、これらのセルユーザアクセスサービスを提供する基地局はマクロ基地局、ピコ基地局、ホーム基地局等と称してもよい。セルは更に異なるアクセスモード（ａｃｃｅｓｓ  ｍｏｄｅ）を有してもよく、通常、一つの普通のセルはあらゆるユーザにアクセスサービスを提供することができ、このセルをオープンセルと称し、ホーム又は企業等の応用環境下でアクセスを許可するユーザを限定する必要があるニーズに対して、一つの閉鎖加入者グループ（ＣＳＧ、Ｃｌｏｓｅｄ  Ｓｕｂｓｃｒｉｂｅｒ  Ｇｒｏｕｐ）セル（閉鎖型（Ｃｌｏｓｅｄ）セルと称する）は規定されたユーザ（即ち加入者）のアクセスのみを許可することができ、又は一つのハイブリッド型（ｈｙｂｒｉｄ）セルは優先的に加入者ユーザにアクセスを提供すると同時に、非加入者ユーザにアクセスサービスを提供することもできる。
【０００３】
無線通信ネットワーク技術の発展につれて、異なる又は隣接する領域が２種又は複数の種の異なるタイプセルにカバーされるシーンは現れ、たとえば、Ｍａｃｒｏ  Ｃｅｌｌのカバー領域内にＰｉｃｏ  Ｃｅｌｌを展開してロードバランシング又はカバー強化を担当し、更にたとえばＭａｃｒｏ  Ｃｅｌｌのカバー領域内においてホームユーザは更にＦｅｍｔｏ  Ｃｅｌｌを展開して室内カバーを担当する。このような複数の種のタイプのセルが共同して無線アクセスカバーを完成するシーンは異種ネットワーク（ｈｅｔｅｒｏｇｅｎｅｏｕｓ  ｎｅｔｗｏｒｋ、ｈｅｔｎｅｔと略称する）シーンと称してもよい。異種ネットワークシーン下で、いくつかの新しいネットワーク展開案は及び技術は次から次へと現れ出てきて、たとえば、Ｐｉｃｏ  Ｃｅｌｌにより多くのユーザをサービスさせ且つ更により多くのサービストラフィックを担当させるために、セル範囲拡張（ＣＲＥ、Ｃｅｌｌ  Ｒａｎｇｅ  Ｅｘｔｅｎｓｉｏｎ）技術を導入する。しかしながら、セル範囲拡張領域にあるため、ユーザが受けるＭａｃｒｏ  Ｃｅｌｌの干渉もより大きく、Ｐｉｃｏセルに対する干渉を低下させるために、Ｍａｃｒｏ  ＣｅｌｌとＰｉｃｏ  Ｃｅｌｌが共存する異種ネットワークシーン下で、パワーを低下して伝送するオールモストブランクサブフレーム（ＡＢＳ、Ａｌｍｏｓｔ  Ｂｌａｎｋ  Ｓｕｂｆｒａｍｅ）を導入し、隣接するＰｉｃｏセルに対しての干渉を低下させるために、Ｍａｃｒｏセルはできるだけパワーを避け又は低下させてＡＢＳ上における物理下りリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）に下りリンクサービスデータを伝送する。
【０００４】
ＡＢＳを導入することにより、干渉セルの、被干渉セルがサービスする、干渉位置にある（たとえば上記のＣＲＥ領域）ＵＥデータ伝送への干渉を一部低下させることができるが、いくつかの特殊なメッセージの伝送干渉、たとえばシステムメッセージ伝送干渉を解決することができない。関連技術の設計に基づいて、システムメッセージ（ＭＩＢ及び他のＳＩＢシステムメッセージを含む）はその伝送時間領域位置がシステムにより固定的に設定され、且つＭＩＢメッセージ伝送の周波数領域位置が更にシステムにより固定的に設定される。ＬＴＥシステム中において、ＭＩＢメッセージはＦＤＤ及びＴＤＤシステム中においていずれも無線フレームの第１個のスロットの最初の４個の符号中に固定的に送信され、且つ周波数領域上にシステム帯域幅の中間６個の物理リソースモジュール（Ｐｈｙｓｉｃａｌ  Ｒｅｓｏｕｒｃｅ  Ｂｌｏｃｋ、ＰＲＢ）を占め、システム情報モジュール１（Ｓｙｓｔｅｍ  Ｉｎｆｏｒｍａｔｉｏｎ  Ｂｌｏｃｋ、ＳＩＢ１）はＦＤＤ及びＴＤＤシステム中においてシステムにより偶数の無線フレームの第５個のサブフレームに伝送を行うように固定的に設定される。干渉セルは、サービスするＵＥが正常にサービスを受信することができることを保証するために、被干渉セルのシステムメッセージ伝送に干渉をもたらす可能性があるとしても、システム設定に基づいて前記固定位置上に正常なパワーを使用してシステムメッセージを伝送しなければならない。以上の分析から見れば、関連技術において、システムメッセージの間の伝送干渉はＡＢＳのメカニズムを導入することにより解決することができない。上記のＣＲＥ領域中において、干渉される基地局がサービスするＵＥは干渉されるセルのシステムメッセージを受信する時干渉セルの強干渉を受け、更に正常に干渉されるセルが送信するシステムメッセージ及び相応のシステムメッセージ更新を受信することができなくなる。システムメッセージを正常に受信することができないことはＵＥがネットワーク中においてサービスを受信することに深刻な影響を与える。
【０００５】
上記問題に対しての研究及び相応の解決方法はまだない。
【発明の概要】
【発明が解決しようとする課題】
【０００６】
これを鑑みて、本発明の実施例はシステム情報の受信方法及び装置を提供し、干渉領域にあるＵＥが隣接セルから干渉されてサービスセルの前記固定位置からシステムメッセージを受信することができないという問題を解決する。
【課題を解決するための手段】
【０００７】
本発明の実施例はシステム情報の受信方法を提供し、
ＵＥはシステム設定の固定位置以外のほかの位置からサービスセル及び／又は隣接セルのシステム情報及び／又はシステム情報更新指示を受信することを含む。
【０００８】
本発明の実施例はユーザ装置を更に提供し、
システム設定の固定時間領域及び／又は周波数領域位置以外のほかの位置からサービスセル及び／又は隣接セルのシステム情報及び／又はシステム情報更新指示を受信するように設置される受信モジュールを含む。
【０００９】
本発明の実施例は基地局を更に提供し、
システム設定の固定時間領域及び／又は周波数領域位置以外のほかの位置からユーザ装置に前記ユーザ装置のサービスセル及び／又は隣接セルのシステム情報及び／又はシステム情報更新指示を送信するように設置される送信モジュールを含む。
【００１０】
本発明の実施例は別のシステム情報の受信方法を更に提供し、
ＵＥはサービスセルから干渉解消操作に必要な補助情報を受信すること、
前記ＵＥは前記補助情報に基づいてシステム情報受信操作時の干渉解消操作を実行することを含む。
【００１１】
本発明の実施例は別のユーザ端末を更に提供し、
サービスセルから干渉解消操作に必要な補助情報を受信するように設置される受信ユニット、
前記補助情報に基づいてシステム情報受信操作時の干渉解消操作を実行するように設置される干渉解消ユニットを含む。
【発明の効果】
【００１２】
本発明の実施例が提供する方法及び装置を用いることにより、ユーザ装置はシステム設定の固定位置以外のほかの位置でシステム情報を受信することができ、これによって、関連技術において固定位置のシステム情報干渉によってユーザ端末がシステム情報を取得することができないという問題を解決する。
【図面の簡単な説明】
【００１３】
【図１】図１は異種ネットワークのカバー模式図である。
【図２】図２は本発明の実施例一によるＵＥハンドオーバ操作過程中のシステムメッセージ受信操作フローチャートである。
【図３】図３は本発明の実施例二によるサービス基地局からシステムメッセージを受信する操作フローチャートである。
【図４】図４は本発明の実施例三によるサービス基地局からシステムメッセージを受信する操作フローチャートである。
【図５】図５は本発明の実施例四によるサービス基地局からシステムメッセージを受信する操作フローチャートである。
【図６】図６は本発明の実施例六に提供されるユーザ端末の構造模式図である。
【図７】図７は本発明の実施例六に提供されるユーザ端末の構造模式図である。
【図８】図８は本発明の実施例六に提供されるユーザ端末の構造模式図である。
【図９】図９は本発明の実施例七に提供される基地局の構造模式図である。
【図１０】図１０は本発明の実施例七に提供される基地局の構造模式図である。
【図１１】図１１は本発明の実施例八に提供されるユーザ端末の構造模式図である。
【図１２】図１２は本発明の実施例八に提供されるユーザ端末の構造模式図である。
【発明を実施するための形態】
【００１４】
本発明の目的、技術的解決手段及び利点をより明らかにするために、以下、図面を参照しながら本発明の実施例を詳しく説明する。ただし、衝突がない場合、本願中の実施例及び実施例における特徴は互いに任意に組み合わせることができる。
【００１５】
図１は異種ネットワークのカバー模式図であり、図１に示すように、一つの典型的な異種ネットワークシーンはマクロ基地局セル（Ｍａｃｒｏ  Ｃｅｌｌ）及びピコ基地局セル（Ｐｉｃｏ  Ｃｅｌｌ）及びフェムト基地局セル（Ｆｅｍｔｏ  Ｃｅｌｌ）を含む。そのうちＰｉｃｏ  Ｃｅｌｌカバー領域中にＣＲＥメカニズムを応用してＰｉｃｏ  Ｃｅｌｌのカバー領域を向上させる。Ｐｉｃｏ  ＣＲＥ領域にあってＰｉｃｏにサービスされるＵＥのデータ伝送及びＦｅｍｔｏカバー領域にあってＭａｃｒｏにサービスされるＵＥのデータ伝送を保護するために、システムはＡＢＳを導入する。ＡＢＳを導入することにより、干渉セルの、被干渉セルがサービスする、干渉位置にあるＵＥ（たとえば図中のＣＲＥ領域のＵＥ）データ伝送への干渉を減少させる。しかしながら干渉セルのいくつかの下りリンク共通制御チャネルスケジューリングの情報、たとえばシステムメッセージの伝送は、干渉セルがサービスされるＵＥに影響を与えないことを保証する必要があるため、従って、システムメッセージが伝送するサブフレームがＡＢＳとして設定されても、システムメッセージも正常にＡＢＳに伝送する必要がある。更に、上記のＣＲＥ領域中において、干渉基地局にサービスされるＵＥは干渉されるセルのシステムメッセージを受信する時、干渉セルがシステム情報を伝送することによる強い干渉を受け、且つ、更に正常に干渉セルが送信するシステムメッセージ及び相応のシステムメッセージの更新を受信することができなくなる。システムメッセージを正常に受信することができないことは、ＵＥがネットワーク中にサービスを受信することに深刻な影響を与える。
【００１６】
以下、具体的な実施例を参照しながら本発明の技術的解決手段を詳しく説明する。
実施例一
本発明の実施例一が提供するシステム情報の受信方法はユーザ装置ハンドオーバシーンに応用され、サービスセルは干渉セルであり、隣接セルは干渉されるセルであり、図２に示すように、該ハンドオーバ過程は以下のステップを含む。
【００１７】
２０１：干渉セルが所属する基地局と被干渉セルが所属する基地局の間は隣接セルの設定情報をインタラクションする。
【００１８】
所属する干渉セルは異種ネットワークシーンでのマクロセル（Ｍａｃｒｏ  Ｃｅｌｌ）を含み、被干渉セルは異種ネットワークシーンでのピコセル（Ｐｉｃｏ  Ｃｅｌｌ）を含む。
【００１９】
所属する隣接セルの設定情報は基地局設定のセルサービス範囲を拡充する設定パラメーターを含み、該パラメーターは、被干渉セルに応用されるセル領域拡張メカニズム程度の大きさを反映するパラメーター及び／又は隣接セルに依頼してＵＥのハンドオーバを制御させるセル関連オフセットパラメーター及び／又はセルが所属する基地局のバージョン情報及び／又は相手端セルに依頼してＵＥが本セルシステム情報を受信することに必要な情報を伝送させる指示を含む。
【００２０】
Ｍａｃｒｏ−Ｐｉｃｏシーンを例とし、上記設定パラメーターはｐｉｃｏセルがセル領域拡張（ＣＲＥ）メカニズムを応用する設定パラメーター、たとえばｐｉｃｏセルに設定されたＣＲＥ領域のＵＥが検出したＰｉｃｏセル参照信号の強度とＵＥが検出したｍａｃｒｏセル信号強度の間の関係閾値、さらに又はｐｉｃｏがＣＲＥメカニズムを応用する程度の大きさを反映するパワー数値及び／又は関係パラメーター、さらに又はｍａｃｒｏ又はｐｉｃｏがＵＥを制御して隣接するｐｉｃｏ又はｍａｃｒｏにハンドオーバさせるセル関連オフセットパラメーター、更に又はｐｉｃｏセルのバージョンタイプであってもよく、また、バージョンタイプをインタラクションする原因について、仮に異なるバージョンのｐｉｃｏ基地局は一定の範囲ＣＲＥメカニズム設定パラメーターを限定して応用すると、たとえばＲ１１バージョンのｐｉｃｏ基地局はＲ１０バージョンより高いｐｉｃｏ基地局が応用するＣＲＥメカニズム程度のパラメーター設定を応用し、つまり、Ｒ１１バージョンのｐｉｃｏ基地局は更なる大きい範囲のＣＲＥ領域を設定して応用することである。
【００２１】
上記の相手端セルに依頼してＵＥが本セルシステム情報を受信することに必要な情報を伝送させる指示方法は、ＡとＢが隣接セルである時、ＡがサービスするＵＥがＡセルからＢセルにハンドオーバされることは、本実施例の後続ステップにおけるＡの補助に基づいてＵＥにＢセルシステムメッセージを取得させる操作を実行する必要がある時、Ｂはこの操作ステップ中に指示シグナリングを使用してＡを指示し、且つ更に後続のサービスされるＵＥがＢセルにハンドオーバされる操作過程に本実施例中における後続の操作ステップを実行する必要があることをＡに分からせる。
【００２２】
基地局の間は、更に隣接セルの間のカレントシステムフレーム番号又は前記隣接セルの間のシステムフレーム番号の間の関係をインタラクションすることができ、前記関係は差分及び／又は倍数関係を含み、前記基地局は隣接セルの間のシステムフレーム番号の間の関係を取得することは、以下の方式を含む。
【００２３】
ＵＥはサービスセルと隣接セルのシステムフレーム番号を受信し、且つ前記サービスセルと隣接セルのシステムフレーム番号又はサービスセルと隣接セルのシステムフレーム番号及び／又はシステムフレーム番号の間の関係をサービス基地局に報告し、前記関係は差分及び／又は倍数関係を含み、
ネットワーク管理システムは基地局を設定し、これにより基地局に隣接セルのカレントシステムフレーム番号又は前記隣接セルの間のシステムフレーム番号の間の関係を分からせる。
【００２４】
基地局の間は前記隣接セルの設定情報をインタラクションする方式は、干渉セルが所属する基地局と被干渉セルが所属する基地局の間がＸ２インタフェース及び／又はＯＡＭインタフェースを介して前記隣接セルの設定情報をインタラクションすることを含み、前記のＸ２インタフェースを介する方式は、Ｘ２インタフェース上の既存及び／又は追加の公共メッセージ及び／又は既存及び／又は追加のプライベートメッセージを介して伝送することを含み、前記公共メッセージは、Ｘ２インタフェースセットアップインタラクションメッセージ（Ｘ２  Ｓｅｔｕｐ  Ｒｅｑｕｅｓｔ／Ｘ２  Ｓｅｔｕｐ  Ｒｅｓｐｏｎｓｅ）、基地局設定更新メッセージ（ｅＮＢ  Ｃｏｎｆｉｇｕｒａｔｉｏｎ  Ｕｐｄａｔｅ／  ｅＮＢ  Ｃｏｎｆｉｇｕｒａｔｉｏｎ  Ａｃｋｎｏｗｌｅｄｇｅ）、負荷指示情報（Ｌｏａｄ  Ｉｎｆｏｒｍａｔｉｏｎ）、リソース状態インタラクションメッセージ（Ｒｅｓｏｕｒｃｅ  Ｓｔａｔｕｓ  Ｒｅｑｕｅｓｔ／Ｒｅｓｏｕｒｃｅ  Ｓｔａｔｕｓ  Ｒｅｓｐｏｎｓｅ／  Ｒｅｓｏｕｒｃｅ  Ｓｔａｔｕｓ  Ｕｐｄａｔｅ）及び従来の他のＸ２インタフェース上での公共メッセージを含み、前記プライベートメッセージは、ハンドオーバ関連要求メッセージ（Ｈａｎｄｏｖｅｒ  Ｒｅｑｕｅｓｔ／Ｈａｎｄｏｖｅｒ  Ａｃｋｎｏｗｌｅｄｇｅ）、ＳＮ状態伝達メッセージ（ＳＮ  Ｓｔａｔｕｓ  Ｔｒａｎｓｆｅｒ）、ＵＥコンテキストリリースメッセージ（ＵＥ  Ｃｏｎｔｅｘｔ  Ｒｅｌｅａｓｅ）及び従来の他のＸ２インタフェースでのプライベートメッセージを含み、干渉セルが所属する基地局と被干渉セルが所属する基地局の間のインタラクション方式は、被干渉セルが所属する基地局は干渉セルが所属する基地局に能動的に上記基地局の間にインタラクションする必要があるデータを伝送する方式又は干渉セルが所属する基地局に基づいて被干渉セルが所属する基地局に上記基地局の間にインタラクションする必要があるデータを要求する要求指示情報を伝送してレスポンスを行う方式、及び／又は、干渉セルが所属する基地局は被干渉セルが所属する基地局に能動的に上記基地局の間にインタラクションする必要があるデータを伝送する方式又は被干渉セルが所属する基地局に基づいて干渉セルが所属する基地局に上記基地局の間にインタラクションする必要があるデータを要求する要求指示情報を伝送してレスポンスを行う方式を含む。ただし、以下の記述にかかわる干渉セルがメッセージを受信及び／又は送信することはいずれも、干渉セルは干渉セルが所属する基地局に基づいてメッセージを受信及び／又は送信することを含み、被干渉セルがメッセージを受信及び／又は送信することは、いずれも被干渉セルは被干渉セルが所属する基地局に基づいてメッセージを受信及び／又は送信することを含む。且つ基地局の間のインタラクションはいずれも、ここで言った基地局対同士の間の要求レスポンスインタラクション方式を含む。
【００２５】
ただし、以上はＸ２インタフェース関連情報を例として紹介しましたが、他のタイプのインタフェースのシーンに対して同様に該方法を応用することができ、本発明の実施例はこれに対して規制しない。
【００２６】
２０２：干渉セル、被干渉セル及び干渉セルがサービスするＵＥはＵＥの干渉セルから被干渉セルへのハンドオーバ準備操作を実行する。
【００２７】
干渉セルが所属する基地局は既存のシステム中に定義されたハンドオーバ操作メカニズム及び隣接セルに対して設定されたセル関連のオフセットパラメーター及び／又は２０１の隣接基地局の設定インタラクションに基づいて、隣接する被干渉セルをハンドオーバ操作の候補ターゲットセルとして確定する。且つ、更に干渉セルが所属する基地局と被干渉セルが所属する基地局の間にはＵＥハンドオーバ操作に必要なシグナリングメッセージをインタラクションする。ここでのハンドオーバ操作は干渉セルが所属する基地局と被干渉セルが所属する基地局の間のＸ２ハンドオーバ操作フロー及びＳ１ハンドオーバ操作フローを含む。
【００２８】
２０３：ハンドオーバ操作の源セル、及びターゲットセルはハンドオーバコマンドメッセージをＵＥに送信する。
【００２９】
源セルはいくつかの情報をＵＥに送信する必要があり、且つ更にＵＥに隣接ターゲットセルのシステム情報を取得させられ、ここでのシステム情報はマスター情報モジュール（Ｍａｓｔｅｒ  Ｉｎｆｏｒｍａｔｉｏｎ  Ｂｌｏｃｋ、  ＭＩＢ）、システム情報モジュール１（Ｓｙｓｔｅｍ  Ｉｎｆｏｒｍａｔｉｏｎ  Ｂｌｏｃｋ  １、  ＳＩＢ１）及び他のターゲットセルが送信するシステム情報を含む。
【００３０】
ＵＥがターゲットセルのＭＩＢ情報を取得することに対して、以下の方式を含む。
【００３１】
（１）源セルはターゲットセルのシステムフレーム番号及び／又は源セルとターゲットセルシステムフレーム番号の間の関係及び／又はターゲットセルのシステムフレーム番号を計算取得することに必要な修正パラメーターをＵＥに送信する。前記システムフレーム番号の間の関係は、源セルとターゲットセルシステムフレーム番号の間の差分及び／又は倍数関係又は他の源セルのカレントシステムフレーム番号及び前記関係に基づいてターゲットセルシステムフレーム番号を取得することができる関係を含む。ＵＥは前記明確的なターゲットセルシステムフレーム番号を受信し、且つシステムに相応の修正規則が設定され、たとえば取得した明確的なシステムフレーム番号のもとで修正操作を導入してからターゲットセルのカレントシステムフレーム番号を取得することができると、ＵＥは相応の修正操作を実行してターゲットセルのシステムフレーム番号を取得する。及び／又は、
ＵＥが受信したのは前記システムフレーム番号の間の関係であると、ＵＥはカレントサービスセルのシステムフレーム番号及び前記システムフレーム番号の間の関係に基づいて隣接ターゲットセルのシステムフレーム番号を計算取得する。且つ、ＵＥが受信したことは前記ターゲットセルのシステムフレーム番号の修正パラメーター及び前記関係を取得する時、ＵＥは該修正パラメーター及び前記関係に基づいて操作を行ってターゲットセルのカレントシステムフレーム番号を得ることである。
【００３２】
ＵＥはサービス基地局によって送信されたブロードキャストメッセージ及び／又はハンドオーバコマンド以外の他のＲＲＣシグナリングメッセージ中から前記システムフレーム番号及び／又は前記システムフレーム番号の間の関係を受信することができ、ＵＥはサービス基地局によって送信されたブロードキャストメッセージ中から受信すると、システムはＵＥがサービス基地局から前記ブロードキャストメッセージの受信方式を取得するように設定することができ、前記の前記ブロードキャストメッセージを受信する方式は、ブロードキャスト情報を伝送する時間領域位置及び／又は周波数領域位置及び／又はパワー情報及び／又はスケジューリング情報及び／又は送信受信コーデック情報を含み、更にＵＥがサービス基地局から前記ブロードキャストメッセージの受信方式を取得して前記ブロードキャストメッセージ受信方式に基づいて前記ブロードキャストメッセージを受信することを含み、前記ハンドオーバコマンド以外の他のＲＲＣシグナリングは無線接続再設定メッセージを含む。
【００３３】
（２）システムはセルが従来の固定位置以外のほかの位置でシステムメッセージを送信するように設定すると、たとえば、従来のＬＴＥシステム中において、ＭＩＢメッセージがＦＤＤ及びＴＤＤシステム中においていずれも無線フレームの第１個のスロットの最初の４個符号中に固定的に送信され、且つ周波数領域上にシステム帯域幅の中間６個の物理リソースモジュール（Ｐｈｙｓｉｃａｌ  Ｒｅｓｏｕｒｃｅ  Ｂｌｏｃｋ、ＰＲＢ）を占めるように規定すると、ＵＥはサービス基地局から隣接セルが前記固定位置以外のほかの位置で前記システムメッセージを送信する方式の情報を受信取得することができ、前記システムメッセージを送信する方式の情報はシステムメッセージを送信する時間領域位置及び／又は周波数領域位置及び／又はパワー情報及び／又はスケジューリング情報及び／又は送信受信コーデック情報ことを含み、前記送信方式は、ユニキャストＲＲＣシグナリングメッセージ及び／又はブロードキャストメッセージを含み、ＵＥはサービス基地局からブロードキャストメッセージ及び／又はユニキャストＲＲＣシグナリングに基づいて、前記隣接セルが前記固定位置以外のほかの位置で前記システムメッセージを送信する方式の情報を取得することができる。ＵＥは前記隣接セルが前記他の位置でシステムメッセージを送信する方式の情報を受信した後、ＵＥは取得した前記ターゲットセルがシステムメッセージを送信する方式に基づいて隣接ターゲットセルからシステムメッセージを受信することができる。
【００３４】
ＵＥに対してターゲットセルのＳＩＢ情報（ＳＩＢ１及び他のＳＩＢモジュールを含む）を取得することは以下の方式を含み、
システムはセルが従来の固定位置以外のほかの位置でシステムメッセージを送信することができるように設定すると、たとえば、従来のＬＴＥシステム中において、システム情報モジュール１（Ｓｙｓｔｅｍ  Ｉｎｆｏｒｍａｔｉｏｎ  Ｂｌｏｃｋ、ＳＩＢ１）はＦＤＤ及びＴＤＤシステム中においてシステムにより偶数の無線フレームの第５個のサブフレームに伝送を行うように固定的に設定されると規定する。システムはセルが前記固定位置以外のほかの位置で前記システムメッセージを送信することができるように設定すると、ＵＥはサービス基地局から隣接ターゲットセルが前記固定位置以外のほかの位置で前記システムメッセージを送信する方式の情報を受信取得することができ、前記システムメッセージを送信する方式の情報は、システムメッセージを送信する時間領域位置及び／又は周波数領域位置及び／又はパワー情報及び／又はスケジューリング情報及び／又は送信受信コーデック情報を含み、前記送信方式はユニキャストＲＲＣシグナリングメッセージ及び／又はブロードキャストメッセージを含み、ＵＥはサービス基地局からブロードキャストメッセージ及び／又はユニキャストＲＲＣシグナリングに基づいて前記隣接セルが前記固定位置以外のほかの位置で前記システムメッセージを送信する方式の情報を取得することができる。ＵＥは前記隣接セルが前記他の位置でシステムメッセージを送信する方式の情報を取得した後、ＵＥは取得した前記システムメッセージを送信する方式に基づいて隣接ターゲットセルからシステムメッセージを受信することができる。
【００３５】
２０４：ＵＥは隣接セルシステム情報を取得する。
【００３６】
２０３における前記の各種の操作フローのように、ＵＥはサービスセル及び／隣接セルのユニキャスト及び／又はブロードキャストメッセージによりターゲットセルのＭＩＢ又は他のＳＩＢ情報を取得する。
【００３７】
２０５：ＵＥ、干渉セル、被干渉セルは残りのネットワークハンドオーバ操作を完成する。
実施例二
本発明の実施例二が提供するシステム情報及び／又はシステム情報更新指示の受信方法はＵＥがサービスセルからシステム情報及び／又はシステム情報更新指示を受信するシーンに応用され、図３に示すように、以下のステップを含む。
【００３８】
３０１：ＵＥはネットワークにアクセスする。
【００３９】
この操作は、ＵＥのハンドオーバアクセス、初期アクセス、アクセス再構築等の各種のネットワークアクセスのシーンを含む。
【００４０】
３０２：サービス基地局はＵＥが強化する必要があるシステム情報及び／又はシステム情報更新指示受信メカニズムを判断する。
【００４１】
ＵＥがネットワークにアクセスした後、ＵＥが信号を受信するチャネル状態の変化のため、たとえば、ＵＥが移動によって隣接セル強干渉の領域に入る可能性があり、ＵＥがシステムのシステム情報及び／又はシステム情報更新指示受信に対しての要求に達することができない可能性がある。
【００４２】
サービス基地局は、ＵＥのチャネル状態に対して測定結果に基づいて判断を行うことができ、前記チャネル状態の測定結果は、以下を含み、ＵＥがサービス基地局のＲＲＭ（ＲＳＲＰ、ＲＳＲＱを含む）及び／又はＲＬＭ及び／又はＣＱＩ及び／又はＳＮＲ及び／又はＳＩＮＲの測定結果に対して判断を行い、前記測定結果はシステム設定の閾値より低い時、サービス基地局は、ＵＥが強化されたシステム情報及び／又はシステム情報更新指示受信メカニズムを実行する必要があると判断することができ、前記測定結果はシステム設定の対応閾値より高い時、サービス基地局はＵＥが強化されたシステム情報及び／又はシステム情報更新指示受信メカニズムを実行する必要がないと判断することができる。サービス基地局はＵＥのデータ受信と送信の成功状況に基づいて判断を行うこともでき、ＵＥのデータの送受信成功率はシステム設定の閾値より低い時、サービス基地局はＵＥが強化されたシステム情報及び／又はシステム情報更新指示受信メカニズムを実行する必要があると判断することができ、ＵＥのデータ送受信成功率はシステム設定の対応閾値より高い時、サービス基地局はＵＥが強化されたシステム情報及び／又はシステム情報更新指示受信メカニズムを実行する必要がないと判断することができる。
【００４３】
３０３：サービス基地局はＵＥが強化されたシステム情報及び／又はシステム情報更新指示受信メカニズムを実行するように指示する。
【００４４】
３０２のステップに基づいて、サービス基地局はＵＥが強化されたシステム情報及び／又はシステム情報更新指示受信メカニズムを実行する必要があると判断した場合、ＵＥに強化されたシステム情報及び／又はシステム情報更新指示受信メカニズムを実行する必要がある状態を指示するように、サービス基地局は相応の指示情報を含むＲＲＣメッセージをＵＥに送信する必要がある。前記ＲＲＣメッセージは従来のＲＲＣシグナリングであってもよく、無線接続重設定情報を含み、新しく追加したＲＲＣメッセージであってもよい。前記指示情報は既存のメッセージ中に新しい明確な情報要素（Ｉｎｆｏｒｍａｔｉｏｎ  Ｅｌｅｍｅｎｔ、ＩＥ）を追加するものであってもよく、従来の情報要素を使用して指示を行うものであってもよく、たとえば、システムはＵＥが制約情報を測定するように設定し、且つこれらの制約情報がサービスセル及び／又は隣接セルのＲＬＭ及び／又はＲＲＭ及び／又はＣＱＩ及び／又はＳＮＲ及び／又はＳＩＮＲに対して制約情報を測定することを含むと同時にサービス基地局はＵＥが強化されたシステム情報及び／又はシステム情報更新指示受信メカニズムを実行する必要があるように指示する。
【００４５】
前記の強化されたシステム情報及び／又はシステム情報更新指示受信メカニズムはＵＥが従来のシステム設定の前記固定位置以外の他の位置でサービス基地局によってブロードキャストされたシステム情報及び／又はシステム情報更新指示を受信する必要があることであると、サービス基地局は更に該ステップ中にＵＥがサービス基地局から前記固定位置以外のほかの位置で伝送ブロードキャストするシステムメッセージを取得する方式を伝送することができ、前記ブロードキャストするシステムメッセージを受信する方式は、システム情報のブロードキャスト伝送の時間領域位置及び／又は周波数領域位置及び／又はパワー情報及び／又はスケジューリング情報及び／又は送信受信コーデック情報を含む。
【００４６】
３０４：ＵＥは強化されたシステム情報及び／又はシステム情報更新指示受信メカニズムを実行する。
【００４７】
ＵＥは強化されたシステム情報及び／又はシステム情報更新指示受信メカニズムを実行することは、以下のいくつかの方式を含む。
【００４８】
１）ＵＥは同時にサービスセルが前記固定位置で送信するシステム情報及び／又はシステム情報更新指示、及びサービスセルが前記固定位置以外の位置で送信するシステム情報及び／又はシステム情報更新指示を受信してみて、ＭＩＢ及び／又はＳＩメッセージ中に含まれる情報を含み、
２）ＵＥは、前記状態は、サービスセルが固定位置でブロードキャスト送信するシステム情報及び／又はシステム情報更新指示を受信できない状態である時、ＵＥはサービスセルが前記固定位置でブロードキャスト送信するシステム情報及び／又はシステム情報更新指示に対応する物理制御チャネル及び／又は下りリンクデータ共有チャネルを復号受信しない。
ＵＥが３０３にサービス基地局から前記固定位置以外のほかの位置で伝送するブロードキャストシステム情報及び／又はシステム情報更新指示を受信する方式を取得したとき、ＵＥは取得した前記固定位置以外のほかの位置で伝送するブロードキャストシステム情報及び／又はシステム情報更新指示を受信する方式情報に基づいてサービス基地局が前記固定位置以外のほかの位置で伝送ブロードキャストするシステム情報及び／又はシステム情報更新指示を受信する。
【００４９】
ＵＥはカレントサービスセルと隣接セルの間のシステムフレーム番号の間の関係を受信した時、サービス基地局の設定に基づいて又は能動的に隣接セルのカレントシステムフレーム番号を取得し、前記サービス基地局の設定は、サービス基地局が明確的に前記システムフレーム番号関係に対応する隣接セルのセル標識及び隣接セルに対しての測定設定情報を設定する必要があることを含む。ＵＥは受信した隣接セルのカレントシステムフレーム番号及び前記システムフレーム番号の間の関係に基づいてサービスセルのカレントシステムフレーム番号を計算取得し、前記計算方式は前記実施例中に記述した方法を使用することができる。
【００５０】
３０５：サービス基地局はＵＥが強化されたシステム情報及び／又はシステム情報更新指示受信メカニズムを引き続き実行する必要がないように指示する。
【００５１】
３０２に記載の方法のように、サービス基地局はＵＥが強化されたシステム情報及び／又はシステム情報更新指示受信メカニズムを引き続き実行する必要があるかどうかを引き続き判断することができる。
【００５２】
サービス基地局はＵＥが強化されたシステム情報及び／又はシステム情報更新指示受信メカニズムを引き続き実行する必要がないと判断した時、サービス基地局は、明確な又は間接的な指示情報を含むＲＲＣシグナリングをＵＥに送信することができ、前記ＲＲＣシグナリングは無線接続再設定メッセージを含み、前記明確な指示は、ＲＲＣシグナリング中に情報要素を追加し又は既存の情報要素を使用して間接指示を行うことを含む。好ましくは、ＵＥはサービス基地局がＵＥにリリース設定した、サービスセル及び／又は隣接セルのＲＬＭ及び／又はＲＲＭ及び／又はＣＱＩ及び／又はＳＮＲ及び／又はＳＩＮＲに対しての制約測定情報を含む制約測定の情報を受信した時、同時にサービス基地局はＵＥが強化されたシステム情報及び／又はシステム情報更新指示受信メカニズムを実行する必要がないように指示することを表す。この時、サービス基地局はユニキャスト方式に基づいてシステム情報及び／又はシステム情報更新指示をＵＥに伝送する時、サービス基地局はユニキャストのシステム情報及び／又はシステム情報更新指示を前記ＵＥにさらに伝送することを停止させ、３０４の操作ステップにおいて、ＵＥは強化されたシステム情報及び／又はシステム情報更新指示受信メカニズムを実行すると、サービスセルが固定位置で送信するシステム情報及び／又はシステム情報更新指示を受信しない時、ＵＥは、サービス基地局はＵＥが強化されたシステム情報及び／又はシステム情報更新指示受信メカニズムを引き続き実行する必要がないように指示するシグナリングメッセージを受信した時、ＵＥはシステム設定の方法に基づいてサービスセルが固定位置で送信するシステム情報及び／又はシステム情報更新指示を受信し始める必要がある。
実施例三
本発明の実施例三が提供するシステム情報及び／又はシステム情報更新指示の受信方法はＵＥがサービスセルからシステム情報及び／又はシステム情報更新指示を受信する別のシーンに応用され、図４に示すように、以下のステップを含む。
【００５３】
４０１：ＵＥはネットワークにアクセスする。
【００５４】
このステップが応用されるシーン及び含まれる操作内容は実施例二と同じである。ここでは繰り返して説明しない。
【００５５】
４０２：ＵＥは強化されたシステム情報及び／又はシステム情報更新指示受信メカニズムを実行する必要があると判断する。
【００５６】
ＵＥがネットワークにアクセスした後、ＵＥが信号を受信するチャネル状態の変化のため、たとえば、ＵＥが移動によって隣接セル強干渉の領域に入る可能性があり、ＵＥがシステムのサービス基地局システム情報及び／又はシステム情報更新指示受信に対しての要求に達することができない可能性がある。
【００５７】
ＵＥが判断する方式は以下の一つを含む。
【００５８】
１）ＵＥが測定したチャネル状態は、前記実施例に記述した無線リソース管理ＲＲＭ及び／又はＲＬＭ及び／又はＣＱＩ及び／又はＳＮＲ及び／又はＳＩＮＲの測定結果を含む。ＵＥの測定結果は基地局が設定した判断規則及び判断閾値に基づいて強化されたシステム信号受信メカニズムを実行する必要がある条件を満たすと、ＵＥが強化されたシステム情報及び／又はシステム情報更新指示受信メカニズムを引き続き実行する必要があると考えられる。そのうち、判断閾値は基地局により送信され、送信時間はＵＥが判定を実行する前であり、たとえば、ＵＥがネットワークにアクセスする時配信する。前記サービス基地局が前記判定閾値を送信する方式は、ブロードキャスト送信及び／又はユニキャストＲＲＣシグナリングメッセージ送信の方式を含む。
【００５９】
２）ＵＥはサービスセルが固定位置で伝送するシステム情報及び／又はシステム情報更新指示を成功的に復号する確率は、ＵＥがサービス基地局から受信した判定閾値より低い。
【００６０】
４０３：ＵＥは基地局に該ＵＥが強化されたシステム情報及び／又はシステム情報更新指示受信メカニズムを実行する必要があるように指示する。
【００６１】
４０２ステップ中において、ＵＥは強化されたシステム情報及び／又はシステム情報更新指示受信メカニズムを実行する必要があると判定したとき、前記ＵＥは前記サービス基地局に直接又は間接指示情報を携帯しているシグナリングを送信し、前記直接指示情報シグナリングは既存のシグナリングメッセージ及び／又は追加シグナリングメッセージ中に新しい情報要素を追加することを含み、前記間接指示情報シグナリングは、既存のＲＲＣシグナリングメッセージ及び／又は追加シグナリングメッセージ中に既存の情報要素及び／又は既存の情報要素組合せの意味を拡充して指示を行うことを含む。
【００６２】
４０４：サービス基地局はＵＥの指示に基づいて相応の操作を実行する。
【００６３】
サービス基地局は、ＵＥはサービスセルが固定位置でブロードキャスト送信するシステム情報及び／又はシステム情報更新指示を受信できない状態指示を受信した時、サービス基地局は後続ＵＥがシステム情報及び／又はシステム情報更新指示を取得する必要があると判定したと、たとえばシステム情報及び／又はシステム情報更新指示の更新が発生したと、前記固定位置以外のほかの位置で伝送するユニキャスト及び／ブロードキャストメッセージを使用して前記システム情報及び／又はシステム情報更新指示をＵＥに送信する。
【００６４】
ただし、サービス基地局はブロードキャストの方式を用いてシステム情報及び／又はシステム情報更新指示を配信すると、サービス基地局は更にＵＥにシステム情報及び／又はシステム情報更新指示をブロードキャストする方式を知らせる必要があり、それのシステム情報及び／又はシステム情報更新指示は、ブロードキャスト情報を伝送する時間領域位置及び／又は周波数領域位置及び／又はパワー情報及び／又はスケジューリング情報及び／又は送信受信コーデック情報を含む。
【００６５】
４０５、ＵＥは強化されたシステム情報及び／又はシステム情報更新指示受信メカニズムを引き続き実行する必要があるかどうかを指示する。
【００６６】
ＵＥは４０３ステップ中における操作を実行し、つまりＵＥが強化されたシステム情報及び／又はシステム情報更新指示受信メカニズムを実行する必要がある指示をサービス基地局に送信した後、さらにＵＥが強化されたシステム情報及び／又はシステム情報更新指示受信メカニズムを実行する必要があるかどうかの判断を引き続き実行することができ、具体的な判断操作は以下の通りである。
【００６７】
ＵＥが判断する方式は以下の一つを含む。
【００６８】
１）ＵＥが測定したチャネル状態は、前記実施例に記述した無線リソース管理ＲＲＭ及び／又はＲＬＭ及び／又はＣＱＩ及び／又はＳＮＲ及び／又はＳＩＮＲの測定結果を含み、ある一つの閾値より高いと、ＵＥが強化されたシステム情報及び／又はシステム情報更新指示受信メカニズムを引き続き実行する必要がないと考えられ、
２）ＵＥは、同時にサービスセルが前記固定位置及び固定位置以外のほかの位置で伝送送信するシステム情報及び／又はシステム情報更新指示を受信すると、ＵＥは、サービスセルはサービスセルが固定位置でブロードキャスト方式によって送信するシステム情報及び／又はシステム情報更新指示を受信できるかどうかの状態を判断且つ指示することができる。ＵＥはサービスセルが固定位置で伝送するシステム情報及び／又はシステム情報更新指示を成功的に復号する確率はシステム設定の判定閾値より高いと、強化されたシステム情報及び／又はシステム情報更新指示受信メカニズムを引続き実行する必要がないと考えられ、
ＵＥは強化されたシステム情報及び／又はシステム情報更新指示受信メカニズムを引続き実行する必要があることを引続き実行する、又は引続き判断する必要があると判断したとき、同様にＲＲＣシグナリング及び／又はランダムアクセスコードを使用して前記状態情報をサービス基地局に指示することができる。指示シグナリングを携帯する方法は上記実施例中における方法と同じでもよく、
ただし、上記実施例二及び三における判断過程は上記記述に限らず、たとえば、ＵＥにより強化されたシステム情報及び／又はシステム情報更新指示受信メカニズムを実行する必要があると判断し、サービス基地局により強化されたシステム情報及び／又はシステム情報更新指示受信メカニズムを引続き実行する必要がないと判断してもよく、又はサービス基地局により強化されたシステム情報及び／又はシステム情報更新指示受信メカニズムを実行する必要があると判断し、ＵＥにより判断強化されたシステム情報及び／又はシステム情報更新指示受信メカニズムを引続き実行する必要がないと判断してもよく、本発明の実施例はこれに対して規制しない。
【００６９】
本発明の実施例が提供する方法を用いることにより、ユーザ装置はシステム設定の固定位置以外のほかの位置でシステム情報及び／又はシステム情報更新指示を受信することができ、これによって、従来の技術において固定位置のシステム情報及び／又はシステム情報更新指示の干渉によってユーザ端末がシステム情報及び／又はシステム情報更新指示を取得することができないという問題を解決する。
実施例四
干渉セル及び被干渉セルはシステム設定の固定位置でシステム情報及び／又はシステム情報更新指示を送信するため、干渉される領域のＵＥは被干渉セルのシステム情報及び／又はシステム情報更新指示を受信することは、干渉セルシステム情報及び／又はシステム情報更新指示の干渉を受ける。本発明の実施例四は別のシステム情報の受信方法を提供し、干渉解消に基づいてシステム情報及び／又はシステム情報更新指示を受信し、図５に示すように、以下のステップを含む。
【００７０】
５０１：基地局の間に隣接セルの設定情報をインタラクションする。
【００７１】
前記実施例中に記載のように、干渉基地局と被干渉基地局の間にはいくつかの基地局の設定情報をインタラクションすることができる。この実施例中において、基地局の間に情報をインタラクションする目的は主に後続のシステム情報及び／又はシステム情報更新指示を受信する時の干渉解消操作のためのであり、それゆえ、主に、基地局の間に隣接セル物理ブロードキャストチャネル（ＰＢＣＨ）で伝送する情報をインタラクションすることを含み、これらの情報は、下りリンク帯域幅及び／又は物理フィードバックチャネルＰＨＩＣＨ設定及び／又は物理フレーム番号及び／又は隣接セル物理フレーム番号の間の関係及び／又は隣接セルで前記情報を伝送することに使用される変調コーディング方式及び／又はビットレート情報を含む。
【００７２】
５０２：ＵＥはネットワークにアクセスする。
【００７３】
このステップが応用されるシーン及び含まれる操作内容は前記実施例と同じ、ここでは繰り返して説明しない。
【００７４】
５０３：ＵＥはその干渉解消の能力を被干渉基地局に指示する。
【００７５】
このステップの目的は基地局にＵＥがサービスセルＰＢＣＨ情報を受信する時隣接干渉セのＰＢＣＨ伝送にもたらす干渉の干渉解消能力を具備することを分からせることであり、以下の方式を含む。
【００７６】
１）ＵＥは独立の能力指示情報を含むＲＲＣシグナリングを使用して被干渉基地局に送信し、ＵＥ  Ｃａｐａｂｉｌｉｔｙ  Ｉｎｆｏｒｍａｔｉｏｎシグナリングメッセージに携帯することを含み、
２）ＵＥは残りの能力を使用して間接の干渉解消の能力、たとえばＵＥのバージョン情報を指示し、ＵＥの隣接干渉セル干渉参照信号の干渉解消能力はＵＥがＰＢＣＨ情報を受信する時の干渉解消能力に対応してもよく、
３）ＵＥは被干渉基地局によって送信された、干渉解消操作を実行することに必要な補助シグナリングを受信した時、ＵＥはレスポンスメッセージを送信せず、又はＵＥは干渉解消能力指示情報をバックアップしない又はバックアップするレスポンスメッセージを基地局に送信し、基地局に干渉解消能力をバックアップしない又はバックアップすることを通知し、前記レスポンスメッセージ中に指示情報を含む方式は、前記直接及び／又は間接の方式を使用して表してもよく、
被干渉基地局はＵＥの干渉解消能力を取得した後、従来の能力情報処理メカニズムに基づいて前記アクセス能力を処理することができ、前記能力をコアネットワークのネットワークエレメント（ＭＭＥを含む）に伝送し及びハンドオーバ操作過程中にターゲット基地局に携帯する等の操作を含む。
【００７７】
５０４：ＵＥはサービスセルからシステム情報及び／又はシステム情報更新指示を取得して干渉解消操作に必要な補助情報を受信する。
【００７８】
このステップ中におけるサービスセルは前記異種ネットワークシーン中における被干渉セル、たとえばＭａｃｒｏ−Ｐｉｃｏシーン中におけるＰｉｃｏセルである。Ｐｉｃｏセルは５０１中に取得された隣接干渉セルが物理ブロードキャストチャネルに伝送している情報及び相応の設定情報をＵＥに送信する。
【００７９】
５０５：ＵＥはサービスセルのシステム情報及び／又はシステム情報更新指示を受信する。
【００８０】
ＵＥは取得した干渉セルが物理ブロードキャストチャネルに伝送している情報及び相応の設定情報に基づいて、サービスセルＰＢＣｈ情報を受信する時の干渉解消操作を実行する。前記干渉解消操作は、受信した信号中から干渉セルが送信する干渉信号でもたらす干渉を除去する操作を含む。好ましくは、ＵＥはカレントサービスセルから前記固定位置により送信されたセルシステム情報を取得する。
【００８１】
本実施例中に記述した方法は、ＵＥが干渉セルによりサービスされるが、同時に複数の干渉セルと隣接する被干渉セルのシステム情報及び／又はシステム情報更新指示を受信する必要があるシーンに応用されてもよく、干渉セルは被干渉セルに隣接する残りの干渉セルがＰＢＣＨに伝送している情報内容を送信して、ＵＥが被干渉セルを受信する時のシステム情報及び／又はシステム情報更新指示の受信の時の干渉解消操作を実行することを補助することができる。干渉セルは前記被干渉セルにより間接又は直接に前記被干渉セルに隣接する残りの干渉セルを介して前記隣接する残りの干渉セルがＰＢＣＨに伝送している情報内容を取得することができる。
実施例五
本発明の実施例はＵＥがシステム情報及び／又はシステム情報更新指示を受信する方法を更に提供し、以下を含む。
【００８２】
ＵＥはサービス基地局のユニキャストメッセージ及び／又はブロードキャストメッセージ中からサービス基地局及び／又は隣接基地局のシステム情報及び／又はシステム情報更新指示を受信し、
好ましくは、ＵＥがサービスセルから隣接セルのシステム情報及び／又はシステム情報更新指示を受信し、ＵＥがサービスセルから隣接セルのシステムフレーム番号及び／又はサービスセルと隣接セルシステムフレーム番号の間の関係を受信し、前記システムフレーム番号の間の関係は、サービスセルと隣接セルシステムフレーム番号の間の差分及び／又は倍数関係を含み、
好ましくは、ＵＥはサービス基地局によって送信されたブロードキャストメッセージ及び／又はＲＲＣシグナリングメッセージ中から前記システムフレーム番号及び／又は前記システムフレーム番号の間の関係を受信し、システムはＵＥがサービス基地局から前記ブロードキャストメッセージを受信する方式を取得するように設定し、前記の前記ブロードキャストメッセージを受信する方式は、ブロードキャスト情報を伝送する時間領域位置及び／又は周波数領域位置及び／又はパワー情報及び／又はスケジューリング情報及び／又は送信受信コーデックの方式、ＵＥがサービス基地局から前記受信ブロードキャストメッセージを取得する方式の情報を含み、前記ＲＲＣシグナリングは無線接続再設定メッセージ、ハンドオーバコマンドメッセージを含み、
好ましくは、ＵＥはサービス基地局から前記システムフレーム番号の間の関係を受信し、カレントサービスセルのシステムフレーム番号及び前記システムフレーム番号の間の関係に基づいて隣接セルのシステムフレーム番号を計算して取得し、
好ましくは、ＵＥはサービス基地局から隣接セルがシステム情報及び／又はシステム情報更新指示を送信する方式の情報を受信して取得し、前記のシステム情報及び／又はシステム情報更新指示を送信する方式の情報は、システム情報及び／又はシステム情報更新指示を送信する時間領域位置及び／又は周波数領域位置及び／又はパワー情報及び／又はスケジューリング情報及び／又は送信受信コーデック情報を含み、前記送信方式はユニキャストＲＲＣシグナリング及び／又はブロードキャストメッセージを含み、且つ、ＵＥは取得した前記システム情報及び／又はシステム情報更新指示を送信する方式に従って隣接ターゲットセルからシステム情報及び／又はシステム情報更新指示を受信することを含み、
好ましくは、前記サービスセルはＵＥのハンドオーバ操作の源セルであり、前記隣接セルはＵＥのハンドオーバ操作のターゲットセルであり、且つ、更に、前記源セルは異種ネットワークシーンでの干渉セルであり、前記ターゲットセルは異種ネットワークシーンでの被干渉セルであり、
ＵＥはサービスセルからサービスセルのシステム情報及び／又はシステム情報更新指示を受信することは、ＵＥはサービスセルのユニキャスト及び／又はブロードキャストメッセージ中からサービスセルのシステム情報及び／又はシステム情報更新指示を受信することを含み、前記システム情報及び／又はシステム情報更新指示は、サービスセルが送信する主システム情報モジュール中における情報及び／又はサービスセルが送信するシステム情報モジュール１中における内容及び／又は前記サービスセルと隣接セルシステムフレーム番号の間の差分又は倍数関係を含み、前記ユニキャストメッセージは無線接続再設定メッセージを含み、前記ブロードキャストメッセージは既存のシステム中に配置された主システム情報モジュール及びシステム情報モジュール１が伝送する固定位置以外のほかの位置で伝送するブロードキャストメッセージを含み、且つ、更に、システムはＵＥがサービス基地局から前記固定位置以外のほかの位置で伝送しているブロードキャストメッセージを受信する方式を取得するように設定し、前記ブロードキャストメッセージを受信する方式は、ブロードキャスト情報を伝送する時間領域位置及び／又は周波数領域位置及び／又はスケジューリング機構情報及び／又はコーデック方式を含み、更にＵＥがサービス基地局から前記ブロードキャストメッセージを受信する方式を含み、
好ましくは、ＵＥは基地局によって送信された指示及び／又は判定閾値を受信し及び／又はＵＥはサービスセルが前記固定位置で伝送するシステム情報及び／又はシステム情報更新指示を正確に受信するかどうかに基づいて前記状態を判定し、前記指示は、ＵＥは基地局によって送信された明確なシグナリング指示を受信し及び／又はＵＥは基地局によって送信された間接指示シグナリングを受信することを含み、前記間接指示シグナリングは、ＵＥは基地局が送信した制約測定設定情報を受信したと、サービスセルが前記固定位置で伝送しているシステム情報及び／又はシステム情報更新指示を受信することができないと判断することを更に含み、前記判定閾値は、ＵＥが測定したサービスセルのチャネル状態を含み、更に、ＵＥは、前記状態はサービスセルが固定位置でブロードキャスト送信するシステムメッセージを受信できない状態であると判断した時、ＵＥはサービスセルが前記固定位置でブロードキャスト送信するシステムメッセージに対応する物理制御チャネル及び／又は下りリンクデータ共有チャネルを復号して受信してみず、
ＵＥは、サービスセルはサービスセルが固定位置でブロードキャスト方式によって送信するシステムメッセージを受信できるかどうかの状態を判断且つ指示し、前記固定位置は、サービスセルが前記主システム情報及び／又はシステム情報更新指示モジュールを送信する時間周波数位置及び／又はサービスセルが前記システム情報モジュール１を送信する時間領域及び／又は周波数領域位置を含む。前記指示方式は、ＵＥがＲＲＣシグナリング及び／又はランダムアクセスコードを使用して前記状態情報をサービス基地局に指示することを含み、
サービス基地局は、ＵＥはサービスセルが前記固定位置でブロードキャスト送信するシステムメッセージを受信できる状態指示を受信した時、サービス基地局は、他のユニキャスト及び／ブロードキャストメッセージを使用して前記システム情報及び／又はシステム情報更新指示をＵＥに送信しなくなり、サービス基地局は、ＵＥはサービスセルが固定位置でブロードキャスト送信するシステムメッセージを受信できない状態指示を受信した時、サービス基地局は、他のユニキャスト及び／ブロードキャストメッセージを使用して前記システム情報及び／又はシステム情報更新指示をＵＥに送信し、
サービス基地局は、ＵＥはサービスセル又は隣接セルが前記固定位置以外のほかの位置で前記ブロードキャストメッセージを伝送する時間領域位置及び／又は周波数領域位置及び／又はスケジューリング機構情報を受信するように指示し、
ＵＥはサービスセルからサービスセルのシステムフレーム番号及び／又はシステムフレーム番号の間の関係を受信し、前記システムフレーム番号の間の関係はサービスセルと隣接セルシステムフレーム番号の間の差分又は倍数関係であり、ＵＥは受信した隣接セルのカレントシステムフレーム番号及び前記システムフレーム番号の間の関係に基づいてサービスセルのカレントシステムフレーム番号を計算して取得し、前記ＵＥがサービスセルから前記情報を受信する方式は、ＲＲＣシグナリング及び／又はサービスセルから前記固定位置以外のほかの位置で伝送するブロードキャストメッセージに基づき、前記ＲＲＣシグナリングメッセージは無線接続再設定メッセージを含み、
ＵＥはサービスセルと隣接セルのシステムフレーム番号を受信し、且つ前記サービスセルと隣接セルのシステムフレーム番号又はサービスセルと隣接セルのシステムフレーム番号の間の関係をサービス基地局に報告し、前記関係は差分及び／又は倍数関係を含み、
基地局と隣接基地局との間には隣接セルの間のカレントシステムフレーム番号及び／又は前記隣接セルの間のシステムフレーム番号の間の関係を伝送し、前記関係は差分及び／又は倍数関係を含み、
基地局と隣接基地局との間には基地局が設定した、セルサービス範囲を拡充する設定パラメーターを伝送し、これらの設定パラメーターは、被干渉セルに応用されるセル領域拡張メカニズム程度の大きさを反映するパラメーター及び／又は隣接セルに依頼してＵＥハンドオーバを制御させるセル関連オフセットパラメーター及び／又はセルのバージョン情報及び／又は相手端セルに依頼して、ＵＥが本セルシステム情報及び／又はシステム情報更新指示を受信することに必要な情報を伝送させる指示を含み、
ＵＥは干渉解消を実行できる能力をサービス基地局に指示し、前記干渉解消の能力は干渉参照信号に対しての干渉解消及び／又は隣接物理ブロードキャストチャネルに対しての干渉解消を含み、
基地局の間は物理ブロードキャストチャネルに伝送している情報及び前記情報の伝送設定情報をインタラクションし、前記情報及び前記情報の伝送設定情報は、下りリンク帯域幅、物理フィードバックチャネルＰＨＩＣＨ設定、物理フレーム番号を含み、前記インタラクション方式は、Ｘ２インタフェースに伝送している共通情報に基づき、前記共通情報は、Ｘ２接続作成要求及び／又はＸ２接続作成レスポンス及び／又は基地局設定更新及び／又は基地局設定更新レスポンスメッセージを含み、
基地局は前記隣接基地局の物理ブロードキャストチャネルに伝送している情報をＵＥに伝送し、ＵＥは受信した前記隣接基地局の物理ブロードキャストチャネルに伝送している情報に基づいて干渉解消操作を実行し、且つ更にサービスセルの物理ブロードキャストチャネルに伝送している情報を受信し、前記基地局は被干渉基地局を含み、前記隣接基地局は干渉基地局を含み、前記物理ブロードキャストチャネルに伝送している情報は隣接セルの間のシステムフレーム番号の間のずれを含む。
【００８３】
上記方法の実施例と同じ又は似っている技術発想に基づいて、本発明は以下の装置実施例を更に提供する。
実施例六
本発明の実施例はユーザ装置を更に提供し、図６に示すように、
システム設定に従ってサービスセル及び／又は隣接セルのシステム情報及び／又はシステム情報更新指示を受信するように設置される受信モジュール６０を含む。
【００８４】
好ましくは、前記受信モジュール６０は、システム設定の固定位置以外のほかの位置からサービスセル及び／又は隣接セルのシステム情報及び／又はシステム情報更新指示を受信するように設置される。
【００８５】
前記固定位置はシステム設定がシステム情報を送信する固定の時間領域位置及び／又は周波数領域位置であり、図７に示すように、前記受信モジュール６０は、
前記サービスセルから前記サービスセル及び／又は隣接セルがシステム情報及び／又はシステム情報更新指示を送信する方式の情報を受信するように設置される第１受信ユニット６１、
前記サービスセル及び／又は隣接セルがシステム情報を送信する方式の情報に基づいて前記サービスセル及び／又は隣接セルのシステム情報及び／又はシステム情報更新指示を受信するように設置される第２受信ユニット６２を含む。
【００８６】
前記第１受信ユニット６１は、前記サービスセルからブロードキャスト及び／又はユニキャストＲＲＣ無線リソース制御シグナリングに基づいて前記隣接セルがシステム情報及び／又はシステム情報更新指示を送信する方式の情報を取得するように設置され、前記システム情報及び／又はシステム情報更新指示を送信する方式の情報は、システム情報及び／又はシステム情報更新指示を送信する時間領域位置及び／又は周波数領域位置及び／又はパワー情報及び／又はスケジューリング情報及び／又は送信受信コーデック情報を含む。
【００８７】
図７に示すように、該ユーザ装置は、
前記サービスセルから前記隣接セルのシステムフレーム番号を受信し、及び／又は
前記サービスセルから前記サービスセルのシステムフレーム番号と前記隣接セルのシステムフレーム番号の間の関係を受信し、前記関係と前記サービスセルのシステムフレーム番号に基づいて前記隣接セルのシステムフレーム番号を取得し、及び／又は
前記サービスセルから前記隣接セルのシステムフレーム番号の計算に必要な修正パラメーターを受信し、前記修正パラメーターに基づいて前記サービスセルのシステムフレーム番号及び／又は前記隣接セルのシステムフレーム番号の間の関係を修正して前記隣接セルのシステムフレーム番号を得るように設置されるシステムフレーム番号取得モジュール７０を更に含む。前記第１受信ユニット６１は、前記システム情報をブロードキャスト方式で送信する時、前記サービスセルから前記システム情報を伝送する時間領域位置及び／又は周波数領域位置及び／又はパワー情報及び／又はスケジューリング情報及び／又は送信受信コーデック情報を受信するように設置される。
【００８８】
前記システムフレーム番号取得モジュール７０は前記サービスセルから前記サービスセルのシステムフレーム番号及び／又は前記サービスセルのシステムフレーム番号と前記隣接セルのシステムフレーム番号の間の関係及び／又は前記隣接セルのシステムフレーム番号の計算に必要な修正パラメーターを受信することは、サービス基地局が送信したブロードキャストメッセージ及び／又はＲＲＣシグナリングメッセージ中から前記サービスセルのシステムフレーム番号及び／又は前記サービスセルのシステムフレーム番号と前記隣接セルのシステムフレーム番号の間の関係及び／又は前記隣接セルのシステムフレーム番号の計算に必要な修正パラメーターを受信することを含む。
【００８９】
前記第１受信ユニット６１は、前記システム情報をブロードキャスト方式で送信する時、前記サービスセルから前記システム情報を伝送する時間領域位置及び／又は周波数領域位置及び／又はパワー情報及び／又はスケジューリング情報及び／又は送信受信コーデック情報を受信するように設置される。
【００９０】
図８に示すように、該ユーザ装置は、前記ユーザ装置が強化されたシステム情報受信メカニズムを実行する必要があるかどうかを判断するように設置される判断ユニット６３、及び／又は、サービス基地局の、前記ユーザ装置が強化されたシステム情報受信メカニズムを実行する必要があるかどうかに対しての指示情報を受信するように設置される指示受信ユニット６４を更に含み、
前記第１受信ユニット６１は、前記ユーザ装置が強化されたシステム情報受信メカニズムを実行する必要があると判断した時又は強化されたシステム情報受信メカニズムを実行する必要があるという指示情報を受信した時、システム設定の固定位置の以外のほかの位置で前記システム情報を受信し、及び／又は、前記ユーザ装置が強化されたシステム情報受信メカニズムを実行する必要がないと判断した時又は強化されたシステム情報受信メカニズムを実行する必要がないという指示情報を受信した時、システム設定の固定位置で前記システム情報を受信するように設置される。
【００９１】
前記判断ユニット６３は、
チャネル状態を測定し、測定結果がデフォルト第五閾値より低い時、強化されたシステム信号受信メカニズムを実行する必要があると判断し、測定結果がデフォルト第六閾値より高い時、強化されたシステム信号受信メカニズムを実行する必要がないと判断し、又は
前記ユーザ装置は前記サービスセルが固定位置で伝送するシステム情報を成功に復号する確率は第１確率閾値より低い時、強化されたシステム信号受信メカニズムを実行する必要があると判断し、前記ユーザ装置は前記サービスセルが固定位置で伝送するシステム情報を成功に復号する確率は第２確率閾値より高い時、強化されたシステム信号受信メカニズムを実行する必要がないと判断するように設置される。
【００９２】
前記ユーザ装置が強化されたシステム情報受信メカニズムを実行する時、前記第１受信ユニットに前記固定位置以外のほかの位置で前記システム情報を受信するように通知し、前記固定位置で前記システム情報を受信し、又は前記固定位置で送信しているシステム情報を復号して受信してみないように設置される強化メカニズム実行ユニット６５を更に含む。
実施例七
本発明の実施例は基地局を更に提供し、図９に示すように、
システム設定に従ってユーザ装置に前記ユーザ装置のサービスセル及び／又は隣接セルのシステム情報及び／又はシステム情報更新指示を送信するように設置される送信モジュール９０を含む。
【００９３】
好ましくは、前記送信モジュール９０は、システム設定の固定位置以外のほかの位置からユーザ装置に前記ユーザ装置のサービスセル及び／又は隣接セルのシステム情報及び／又はシステム情報更新指示を送信するように設置される。
【００９４】
前記送信モジュール９０は、ブロードキャスト及び／又はユニキャストＲＲＣ無線リソース制御シグナリングに基づいて前記ユーザ装置に前記ユーザ装置のサービスセル及び／又は隣接セルがシステム情報及び／又はシステム情報更新指示を送信する方式の情報を送信し、前記システム情報及び／又はシステム情報更新指示を送信する方式の情報は、システム情報を送信する時間領域位置及び／又は周波数領域位置及び／又はパワー情報及び／又はスケジューリング情報及び／又は送信受信コーデック情報を含むように設置される。
【００９５】
図１０に示すように、
前記ユーザ装置に前記隣接セルのシステムフレーム番号、及び／又は、前記サービスセルのシステムフレーム番号と前記隣接セルのシステムフレーム番号の間の関係、及び／又は、前記隣接セルのシステムフレーム番号の計算に必要な修正パラメーターを送信するように設置されるフレーム番号送信モジュール１００を更に含む。
【００９６】
ＵＥが報告したサービスセルと隣接セルのシステムフレーム番号及び／又はサービスセルと隣接セルのシステムフレーム番号の間の関係を受信してサービス基地局に報告し、前記関係は差分及び／又は倍数関係を含むように設置される受信モジュール１１０を更に含む。
【００９７】
隣接基地局との間に隣接セルの間のカレントシステムフレーム番号及び／又は前記隣接セルの間のシステムフレーム番号の間の関係を伝送し、前記関係は差分及び／又は倍数関係を含むように設置されるインタラクションモジュール１２０を更に含んでもよい。
【００９８】
前記送信モジュール９０は、
前記システム情報をブロードキャスト方式で送信する時、前記ユーザ装置に前記システム情報を伝送する時間領域位置及び／又は周波数領域位置及び／又はパワー情報及び／又はスケジューリング情報及び／又は送信受信コーデック情報を送信するように設置される。
【００９９】
前記ユーザ装置が強化されたシステム情報受信メカニズムを実行する必要があるかどうかを判断するように設置される判断ユニット９１、及び／又は、前記ユーザ装置の、前記ユーザ装置が強化されたシステム情報受信メカニズムを実行する必要があるかどうかに対しての指示情報を受信するように設置される指示受信ユニット９２を更に含む。
【０１００】
前記判断ユニット９１は、
前記ユーザ装置のチャネル状態に対しての測定結果を受信し、該測定結果は、前記サービス基地局の無線リソース管理ＲＲＭ及び／又はＲＬＭ及び／又はＣＱＩ及び／又はＳＮＲ及び／又はＳＩＮＲに対しての測定結果を含み、前記測定結果はシステム設定の第１閾値より低い時、前記ユーザ装置が強化されたシステム情報受信メカニズムを実行する必要があると判断し、前記測定結果はシステム設定の第２閾値より高い時、前記ユーザ装置が強化されたシステム情報受信メカニズムを実行する必要がないと判断し、又は、前記ユーザ装置のデータ送受信成功率はシステム設定の第３閾値より低い時、前記ユーザ装置が強化されたシステム情報受信メカニズムを実行する必要があると判断し、前記ユーザ装置のデータ送受信成功率はシステム設定の第４閾値より高い時、前記ＵＥが強化されたシステム情報受信メカニズムを実行する必要がないと判断するように設置される。
【０１０１】
本発明の実施例が提供する装置を用いることにより、ユーザ装置はシステム設定の固定位置以外のほかの位置でシステム情報を受信することができ、これによって、従来の技術において固定位置のシステム情報干渉によってユーザ端末がシステム情報を取得することができない問題を解決する。
実施例八
本発明の実施例は更にユーザ装置を提供し、図１１に示すように、
サービスセルから干渉解消操作に必要な補助情報を受信するように設置される受信ユニット１１１、
前記補助情報に基づいてシステム情報受信操作時の干渉解消操作を実行するように設置される干渉解消ユニット１１２を含む。
【０１０２】
図１２に示すように、
前記サービス基地局に前記ＵＥの干渉解消能力を通知するように設置された通知ユニット１１３を更に含む。
【０１０３】
前記干渉解消能力はＵＥがシステム情報の受信を実行する時の干渉解消の能力を含み、前記通知ユニット１１３は、
ＵＥ能力指示情報を携帯しているシグナリングメッセージ中に指示情報を加えることにより前記能力を指示し、前記指示情報は新しい情報要素を加えて指示を行い及び／又は既存の情報要素意味を拡充する方式で指示を行うことを含み、前記シグナリングメッセージはＵＥ能力情報メッセージを含み、及び／又は
基地局が送信したシグナリングメッセージを受信した後、応答メッセージにより基地局の前記能力を指示し、前記応答メッセーは、既存及び／又は追加のＲＲＣシグナリングメッセージ及び／又はランダムアクセスシーケンスコードを含み、及び／又は
基地局に前記干渉解消操作を実行することを要求することに必要な補助情報的シグナリングを送信して、基地局に前記ＵＥが前記干渉解消能力を具備することを通知するように設置される。
【０１０４】
前記補助は隣接干渉セルが物理ブロードキャストチャネルに伝送している情報及び相応の設定情報を含み、
前記干渉解消ユニット１１２は、
前記隣接干渉セルが物理ブロードキャストチャネルに伝送している情報及び相応の設定情報に基づいて受信した信号から前記隣接干渉セルが送信した干渉信号を除去するように設置される。
【０１０５】
前記受信ユニット１１１は、基地局が伝送した、隣接基地局の物理ブロードキャストチャネルに伝送している情報を受信するように設置され、相応して、前記干渉解消ユニット１１２は、受信した前記隣接基地局の物理ブロードキャストチャネルに伝送している情報に基づいて干渉解消操作を実行するように設置される。
【０１０６】
以上は、本発の好ましい実施例に過ぎず、本発明の保護範囲を規制するものではない。
【０１０７】
当業者は、上記方法における全部又は一部のステップをプログラムによって関連ハードウェアに命令を出して完成させることができ、前記プログラムはコンピュータ読み取り可能な記憶媒体、例えば読取り専用メモリ、ディスク又は光ディスク等に記憶してもよいと理解することができる。選択肢として、上記実施例の全部又は一部のステップが一つ又は複数のＩＣにより実現されてもよい。それに対応して、上記実施例における各モジュール／ユニットはハードウェアの形式で実現されてもよく、ソフトウェア機能モジュールの形式で実現されてもよい。本発明はあらゆる特定形式のハードウェアとソフトウェアの組合せに限らない。
【産業上の利用可能性】
【０１０８】
本発明の実施例が提供する方法及び装置を用いることにより、ユーザ装置はシステム設定の固定位置以外のほかの位置でシステム情報を受信することができ、これによって、従来の技術において固定位置のシステム情報干渉によってユーザ端末がシステム情報を取得することができない問題を解決する。
【図１】
0005869726.tif 000002
【図２】
0005869726.tif 000003
【図３】
0005869726.tif 000004
【図４】
0005869726.tif 000005
【図５】
0005869726.tif 000006
【図６】
0005869726.tif 000007
【図７】
0005869726.tif 000008
【図８】
0005869726.tif 000009
【図９】
0005869726.tif 000010
【図１０】
0005869726.tif 000011
【図１１】
0005869726.tif 000012
【図１２】
0005869726.tif 000013